(57)【要約】  患者３２をモニタする場合に、客観的データは、複数のセンサ２０を介して前記患者３２に結合されたバイタルサインモニタ（ＶＳＭ）１２を使用して容易に収集される。発疹、外傷又は包帯、顔面蒼白又は紅潮、苦痛を示す顔の表情等のような主観的データは、ＶＳＭ１２に結合されたイメージャ２２を使用して追加的に獲得される。イメージャ２２は、患者３２又は患者の一部のデジタル画像を獲得し、前記画像データをＶＳＭ１２に中継する２次元バーコードリーダであることができる。画像及び患者バイタルサインデータは、電子医療記録１４に記憶され、ユーザ又は医師に提示される。加えて、オプションのバーコード３４を持つ標準的基準色板３０が、患者３２の上又は近くに配置されることができ、患者３２及びＳＣＰ３０が撮像されることができる。撮像されるＳＣＰ３０は、見直す医師が診断のために前記画像を評価することを可能にするように色補正を実行するのに基準として使用される。
2010537672.tif 000002
【特許請求の範囲】
【請求項１】
患者のバイタルサインデータ及び画像を同時に獲得するシステムにおいて、
患者パラメータデータ及び画像データを受信するバイタルサインモニタと、
前記バイタルサインモニタに結合され、患者の画像を獲得し、前記バイタルサインモニタに画像データを送信するイメージャと、
少なくとも１つの患者バイタルサインをモニタし、前記少なくとも１つのバイタルサインを記述する患者パラメータデータを前記バイタルサインモニタに送信する１つ又は複数のセンサと、
を含むシステム。
【請求項２】
前記患者の前記画像と関連付けられた標準的色板を更に含む、請求項１に記載のシステム。
【請求項３】
前記標準的色板が、前記患者の通常の肌の色合いに近く色づけされた少なくとも１つの部分を持つ、請求項２に記載のシステム。
【請求項４】
前記標準的色板上に配置され、前記標準的色板の色に関連付けられた情報を含むバーコードを更に含む、請求項２に記載のシステム。
【請求項５】
前記イメージャが、前記患者又は前記患者の一部の画像を獲得し、電子医療記録における記憶又は医師に対する表示のために前記画像データを前記バイタルサインモニタに送信するバーコードリーダを含む、請求項４に記載のシステム。
【請求項６】
前記バーコードリーダが、前記バーコードを読み出し、前記バイタルサインモニタが、前記画像における色、コントラスト又は輝度の少なくとも１つを較正するのに前記バーコードから得られた情報を使用する、請求項５に記載のシステム。
【請求項７】
前記イメージャが、前記患者又は前記患者の一部の画像を獲得し、電子医療記録における記憶又は医師に対する表示のために前記画像データを前記バイタルサインモニタに送信するバーコードリーダを含む、請求項１に記載のシステム。
【請求項８】
前記患者の画像が、前記患者の顔、前記患者の外傷、前記患者の創傷包帯、又はカテーテル挿入ポイントの少なくとも１つの画像である、請求項１に記載のシステム。
【請求項９】
前記患者の顔の画像が、前記患者の状態の診断に対して、肌の色合い又は苦痛の表情の少なくとも１つに関連した情報に対して評価される、請求項８に記載のシステム。
【請求項１０】
前記イメージャが、前記患者又は前記患者の一部の画像を獲得し、電子医療記録に対する記憶若しくは医師に対する提示、又は両方のために前記画像データを前記バイタルサインモニタに送信するデジタルカメラである、請求項１に記載のシステム。
【請求項１１】
前記メモリが、
前記患者及び前記標準的色板の画像を獲得するルーチン又は手段と、
前記バイタルサインモニタにおいて、前記画像データを受信し、オプションとして患者パラメータデータを受信するルーチン又は手段と、
前記バイタルサインモニタにおいて前記画像内の色歪を補正するルーチン又は手段と、
前記バイタルサインモニタにおいて前記画像及びオプションの患者パラメータデータを記憶し、前記記憶されたデータをユーザに対して表示するルーチン又は手段と、
を含む、請求項２に記載のシステム。
【請求項１２】
請求項１に記載のシステムを使用してバイタルサイン及び画像データを獲得する方法において、
前記１つ又は複数のセンサを使用して前記患者を前記バイタルサインモニタに接続するステップと、
前記イメージャを使用して前記患者の画像を獲得するステップと、
前記バイタルサインモニタにおいて前記画像データ及び患者パラメータデータを受信するステップと、
前記画像データ及び患者パラメータデータを電子医療記録データベースに記憶し、前記画像及び患者パラメータデータをユーザに対して表示するステップと、
を含む方法。
【請求項１３】
患者のバイタルサイン情報及び画像を同時に獲得する方法において、
１つ又は複数のセンサを患者及びバイタルサインモニタに接続するステップと、
前記バイタルサインモニタにおいて前記患者のバイタルサインを記述する患者パラメータデータを受信するステップと、
前記患者の画像を獲得するステップと、
前記バイタルサインモニタにおいて前記獲得された画像を受信するステップと、
前記獲得された画像及び前記患者パラメータデータを電子医療記録に記憶するステップと、
前記患者パラメータデータ及び前記獲得された画像を表示するステップと、
を含む方法。
【請求項１４】
前記画像を獲得するのに前記バイタルサインモニタに結合されたデジタルカメラを使用するステップを含む、請求項１３に記載の方法。
【請求項１５】
前記画像を獲得するのに前記バイタルサインモニタに結合された２次元バーコードリーダを使用するステップを含む、請求項１３に記載の方法。
【請求項１６】
患者識別バーコードを読み出すのに前記バーコードリーダを使用するステップを含む、請求項１５に記載の方法。
【請求項１７】
前記患者の上に又は近くに標準的色板を配置するステップと、前記画像内の前記標準的色板とともに前記患者の前記画像を獲得するステップとを含む、請求項１５に記載の方法。
【請求項１８】
前記獲得された画像の色較正に前記撮像された標準的色板を使用するステップを含む、請求項１７に記載の方法。
【請求項１９】
前記バーコードリーダを用いて、前記標準的色板に関連付けられ、前記標準的色板の色に関連した情報を含むバーコードを読み出すステップを含む、請求項１５に記載の方法。
【請求項２０】
前記画像を獲得する時間において又は近くに前記バーコードをスキャンするステップと、前記獲得された画像における色歪を補正するのに前記バーコード情報を使用するステップとを含む、請求項１９に記載の方法。
【請求項２１】
前記方法が、前記バイタルサインモニタ及びワークステーションモニタの少なくとも１つにおいて前記獲得された画像及び前記患者パラメータデータをユーザに対して表示するステップを含み、前記ワークステーションが、前記電子医療記録を記憶するデータベースに対するアクセスを持つ、請求項２０に記載の方法。
【請求項２２】
請求項１３に記載の方法を実行するようにプログラムされたプロセッサ又はコンピュータ読み取り可能メモリ。
【請求項２３】
複数の患者モニタリング装置を構成することを容易化するシステムにおいて、
患者バイタルサインをモニタする手段と、
モニタされる患者の画像を獲得する手段と、
前記患者の獲得された画像及び患者バイタルサイン情報を電子医療記録として記憶する手段と、
前記獲得された画像の色補正に対する標準的基準を提供する手段と、
を含むシステム。
【発明の詳細な説明】
【技術分野】
【０００１】
本出願は、特にバイタルサインモニタに関する患者ヘルスケアシステムに特定の応用を見つける。しかしながら、記載される技術が、他のタイプのモニタ若しくは装置、他のモニタリングシナリオ、又は他の装置構成技術においても応用を見つけうると理解される。
【背景技術】
【０００２】
現在のバイタルサイン／ベッドサイドモニタは、ＳｐＯ2、ｅｔＣＯ2、血圧、体温、ＥＣＧ及び心拍のような基本的な測定データを記録する。臨床医は、典型的には、特定の主観的な患者状態（創傷治癒、蒼白等）を記載するために前記患者記録に手入力（手書き又はタイピング）する必要がある。患者状態の手動の記述は、状態を正確に記述するのに臨床医の時間を費やす。これは、典型的には、バイタルサインが記録された時間の後に行われる。この入力は、前記臨床医による前記状態の記憶に頼る。加えて、主治医は、回診中に手動の記述を読むのに時間を費やす。更に、前記主治医は、前記臨床医の患者状態の主観的解釈に頼らなければならず、前記解釈は、日ごとに及び／又は臨床医間で変化しうる。
【発明の概要】
【発明が解決しようとする課題】
【０００３】
当技術分野には、上記の問題等を克服するシステム及び方法に対する満たされていない要望が存在する。
【課題を解決するための手段】
【０００４】
一態様によると、患者のバイタルサインデータ及び画像を同時に獲得するシステムは、患者パラメータデータ及び画像データを受信するバイタルサインモニタと、前記バイタルサインモニタに結合され、患者の画像を獲得し、画像データを前記バイタルサインモニタに送信するイメージャとを含む。前記システムは、追加的に、少なくとも１つの患者バイタルサインをモニタし、前記少なくとも１つのバイタルサインを記述する患者パラメータデータを前記バイタルサインモニタに送信する１つ又は複数のセンサを含む。
【０００５】
他の態様によると、患者のバイタルサイン情報及び画像を同時に獲得する方法は、１つ又は複数のセンサを患者に及びバイタルサインモニタ（ＶＳＭ）に接続するステップと、前記ＶＳＭにおいて前記患者のバイタルサインを記述する患者パラメータデータを受信するステップと、前記患者の画像を獲得するステップとを含む。前記方法は、更に、前記ＶＳＭにおいて前記獲得された画像を受信するステップと、前記獲得された画像及び前記患者パラメータデータを電子医療記録（ＥＭＲ）に記憶するステップと、前記患者パラメータデータ及び前記獲得された画像を表示するステップとを含む。
【０００６】
他の態様によると、複数の患者モニタリング装置を構成するのを容易化するシステムは、患者バイタルサインをモニタする手段と、モニタされる患者の画像を獲得する手段と、前記患者の患者バイタルサイン情報及び獲得された画像を電子医療記録に記憶する手段とを含む。前記システムは、更に、前記獲得された画像の色補正に対する標準的基準を提供する手段を含む。
【０００７】
１つの利点は、視覚的患者状態インジケータの臨床医の解釈における主観性を減少させることにある。
【０００８】
他の利点は、主観的患者状態情報を記録するのに関連した生成及び見直し時間を減少させることにある。
【０００９】
更に他の利点は、画像サイトにおける影、貧弱な照明及び他の不所望な影響を補償するように標準的基準色板（standard reference color plate）を提供し、患者画像を色較正することにある。
【００１０】
対象のイノベーションの更に他の利点は、以下の詳細な説明を読み、理解すると、当業者により理解される。
【００１１】
このイノベーションは、様々な要素及び要素の組み合わせ、並びに様々なステップ及びステップの組み合わせの形を取ることができる。
【図面の簡単な説明】
【００１２】
【図１】患者の状態に関する客観的データを取得し、典型的には数量化するのが難しい他の患者パラメータに関連した主観性及び文書化時間を最小化する患者をモニタするシステムを示す。
【図２】場所及び／又は時間において患者から離れているヘルスケア従事者により見直される場合に、表示される画像が患者の肌の色合いを正しく表すことを保証するために患者の画像を較正するのを容易化する標準的色板（ＳＣＰ）を含む、前記システムの他の実施例を示す。
【図３】一般的なヘルスケア環境において患者に対するバイタルサイン情報に加えて画像データを収集する方法を示す。
【図４】様々な態様と併せて、ＶＳＭに結合された撮像装置を使用して生成された画像の色補正に対する方法の説明図である。
【図５】上述のシステム及び／又は方法と併せて使用されることができるＶＳＭのようなバイタルサインモニタの説明図である。
【発明を実施するための形態】
【００１３】
図１は、患者状態に関する客観的データを取得し、典型的には数量化するのが難しい他の患者パラメータに関する主観性及び文書化時間を最小化する患者をモニタするシステム１０を示す。前記システムは、電子医療記録（ＥＭＲ）システム１４に接続されたバイタルサインモニタ（ＶＳＭ）１２を含む。前記ＶＳＭと前記ＥＭＲとの間の接続は、有線又は無線（例えばブルートゥース、ジグビー等）及びセルラであることができる。一部の実施例において、前記接続は、間欠的であり、データ伝送は、接続性が十分であるときはいつでも起こり、これは、全て又は一部の時間であることができる。前記ＶＳＭは、メモリ１６及びプロセッサ１８を有する。前記メモリは、前記患者に付着された１つ又は複数のセンサ２０から受信された患者パラメータデータ（例えばバイタルサイン）に関連付けられた情報及び／又はイメージャ２２により獲得された画像データを記憶する。患者パラメータデータは、心拍又は脈拍、血圧、ｅｔＣＯ2、ｓｐＯ2、体温、血液グルコースレベル、ＥＫＧ等のような測定可能な患者パラメータを含むことができる。前記メモリは、追加的に、患者パラメータデータ及び／又は画像データを受信、処理、向上、記憶、送信及び／又は表示する１つ又は複数のコンピュータ実行可能ルーチン又はアルゴリズムを記憶する。一実施例において、イメージャ２２は、２次元画像を獲得することができるバーコードスキャナ又はリーダである。他の実施例において、前記イメージャは、デジタルカメラ又はビデオレコーダである。
【００１４】
例えば、一部のベッドサイドモニタ又はＶＳＭは、現在、周辺装置としてケーブルにより接続されたハンドヘルド２次元バーコードリーダを持つ。前記バーコードリーダは、患者ＩＤブレスレット、及び薬剤ボトル等のバーコードを読み取るのに使用される。前記２次元バーコードリーダのフィーチャの１つは、前記リーダが画像入力装置として使用されることもできることである。前記バーコードリーダは、したがって、治癒過程、特に出血、カテーテル挿入ポイントにおける穿刺等に対する包帯をモニタするための外傷の画像、及び蒼白、紅潮、打撲等をチェックするための前記患者の顔の画像のような医療関連画像を入力する画像入力装置として使用されることができる。例えば、打撲傷表面積サイズは、撮像されることができ、打撲傷深度は、前記打撲傷の色から推定されることができ、これは、医師が、前記打撲傷を引き起こした衝撃の力又は原因、皮膚の下の間質腔に失われた血液量等について推測することを可能にする。他の実施例において、前記２次元バーコードリーダを使用するのではなく、デジタルカメラが、イメージャ２２として各ＶＳＭに関連付けられることができる。代替的に、主治医、看護師又は医師は、複数のＶＳＭの各々とインタフェース接続するカメラ装置を持っていくことができる。これらの画像は、この場合、モニタされるバイタルサインに類似した患者記録の一部にされる。
【００１５】
システム１０は、一般的なケア医療分野において使用されることができる。前記システムは、外傷、戦場、ＥＭＳ及び同様のモニタに使用されることもできる。外科医に前もってバイタルサイン情報に沿った画像を送信することは、すぐに治療する必要のある外傷に対する病院スタッフのより良好な準備を容易化することができる。本発明の様々な態様は、患者状態の画像を獲得し、画像を病院ＥＭＲシステム又はデータベースに送信し、画像を前記ＶＳＭに表示する能力を含む。他の態様によると、前記イメージャは、前記モニタに埋め込まれることができるか、又は付属物（例えば、上述のバーコードリーダ又はデジタルカメラ）として前記モニタと組み合わせて使用されることができる。加えて、システム１０は、病院内及び／又は病院外患者ケア環境（例えば、クリニック、外来外科施設、長期ケア施設、診療所、最初の応答サイト及び／又は救急車若しくは他の患者輸送手段、戦場サイト若しくは一時的病院サイト）における大人、小児及び／又は新生児患者に対して使用されることができる。前記バイタルサインモニタを使用して前記患者の状態の画像を獲得する能力を持つことは、前記臨床医の入力時間及び前記医師の見直し時間の両方を短縮する。
【００１６】
他の実施例によると、システム１０は、医者、救急医療隊員、救命士等に対するトレーニング目的で使用されることができる。例えば、医者は、トレーニング（又は現実の）トリアージ演習中に患者の画像を取ることができ、後で看護師又は医師のような上司により批評されることができる。他の例において、ユーザは、訓練演習において特定の診断を正当化することを容易化するために患者の顔の表情及び／又は色（例えば蒼白、紅潮等）を撮像することができる。他の画像対象は、外傷、包帯、カテーテル挿入ポイント等を含むことができる。例えば、患者の外傷は、医師が治癒過程、又は感染症等を評価することを可能にするように毎日のスケジュールで撮像されることができる。
【００１７】
図２は、場所及び／又は時間において患者から離れているかもしれないヘルスケア従事者により見直される場合に、表示される画像が患者の肌の色合いを正しく表すことを保証するために患者の画像を較正することを容易化する標準的色板（ＳＣＰ、standard color plate）３０を含むシステム１０の他の実施例を示す。システム１０は、デジタルカメラ、ビデオカメラ、バーコードリーダ等でありうるイメージャ１４及びＶＳＭ１２を含む。前記システムは、更に、前記画像が生成される前に患者３２又は撮像されるべき身体部分に隣接して配置されたＳＣＰ３０を含む。加えて、前記ＳＣＰは、前記イメージャがバーコードリーダである場合に、前記画像の生成の時間に又は前記時間近くに前記イメージャにより読み出されるバーコード３４を含む。このようにして、前記画像入力装置の色較正が実行されることができる。患者の肌の色の蒼白、紅潮又は他の態様を測定するために、１つ又は複数のＳＣＰが、前記患者と同時に又は直前若しくは直後に撮像されることができる。異なる民族の患者に対する肌の色合いの幅広い範囲のため、複数の異なる色板が存在することができ、前記色板の各々は、バーコードにより識別され、１つ又は複数の異なる肌の色合いに対応する。画像色は、室内の照明、日光等により影響を受け、時刻、照明レベル等に対して変化しうることが注意される。
【００１８】
例えば、前記バーコードは、前記画像において使用されるＳＣＰ上に表示される色を記述する情報を表すことができる。一例によると、前記ＳＣＰが赤である場合、前記バーコードは、当該ＳＣＰを示す情報を含み、前記示される色の特定の色相、輝度及び／又は陰影に関連した情報を追加的に含むことができる。他の例において、前記ＳＣＰは、照明、影により引き起こされることができる歪を補償するように前記画像を較正するのに使用される複数の色（例えば、赤、青、緑等）を有する。複数の既知の色は、前記電子画像内の色を事前に選択された標準化された色パレットにマッピングする各画像に対するカスタム変換を規定するのに使用されることができる。この例において、前記ＶＳＭ及び／又は医師に前記画像を表示するコンピュータは、前記バーコード内に示された色に対する既知の値によって前記画像内の色を調整することができ、これにより照明及び他の歪効果を補償し、前記医師が診断又は評価に対して真の色の画像を提示されることを保証する。
【００１９】
他の例は、前記患者が蒼白であるか又は紅潮しているかどうか等を決定することを容易化するように撮像の前に前記患者の顔の近くに配置されることができる複数の肌色合いＳＣＰに関する。例えば、蒼白は、失血、他の病気等を示すことができる。紅潮した顔は、発熱、及び高血糖症（例えば、幻覚症状、遅い発現等のような特定の他の症状／兆候と併せて区別可能）等を示すことができる。更に、前記患者の唇の青みがかった色は、低酸素症、低体温等を示すことができる。上述のものは、臨床医による面倒な時間のかかる手入力及び医師による冗長な解釈を必要とすることなく、システム１０を使用する撮像要素により迅速かつ効率的に獲得されることができる情報のタイプの少数の例を表す。理解されるように、これら及び無数の他の状態が文書化されることができ、画像情報は、見直す医師が、遅延及び誤りの可能性並びに臨床医に頼ってこれらの比較的主観的な患者症状及び／又は兆候を正確に文書化する場合に生じることができる省略なしに信頼できる正確な画像データを提示されることを保証するように色補償されることができる。
【００２０】
イメージャ２２がバーコードリーダを含む一実施例において、前記リーダは、ペン型バーコードリーダ、レーザスキャナ、電荷結合素子（ＣＣＤ）リーダ又はＬＥＤスキャナ等であることができる。このような場合、撮像能力は、しばしば幾らか制限され、デジタルカメラは、前記画像を生成するようにイメージャ２２に含まれることができ、前記バーコードリーダは、前記ＳＣＰ上の前記バーコードをスキャンするのに使用される。他の実施例において、前記イメージャは、バーコード３４の画像を獲得するのに小さなビデオカメラを使用する２次元撮像スキャナ又はカメラベースリーダである。前記カメラは、したがって、前記患者又は身体部分の画像を獲得するのに使用されることもできる。このようなリーダは、典型的には、前記バーコードをデコードするのにデジタル画像処理アルゴリズムを使用する。前記ビデオカメラは、２次元画像生成を容易化する複数行のセンサを使用するＣＣＤのような技術を使用することができる。
【００２１】
イメージャ２２がデジタルカメラ等である実施例において、前記カメラは、例えばＵＳＢ若しくは同様の接続、又は無線接続（例えば、ブルートゥース、ジグビー等）等により、獲得後に前記ＶＳＭにアップロードされることができる画像を獲得するのに使用されることができる。代替的に、前記カメラは、後の前記ＶＳＭに対するアップロード及び前記ＥＭＲに対する最終的な記憶及び医師に対する提示に対してピクチャを記憶することができる。前記ＥＭＲに対する画像及びバイタルサイン情報の記憶は、同様に、接続が前記ＶＳＭと前記ＥＭＲデータベースとの間、又は両方に提供される場合に、前記ＶＳＭにより処理される又は定期的に実行されることができるので連続的に実行されることができる。
【００２２】
戦場の医薬応用に関する例によると、医者は、前記ＶＳＭを患者に接続し、患者パラメータ情報（バイタルサイン）を取得し、前記患者、創傷包帯等を撮像し、前記２次元バーコードリーダを使用し、前記ＶＳＭに対する前記画像及びバイタルサイン情報を、前記情報が対応する患者アイデンティティの幾つかの特徴とともに記憶することができる。一部の実施例において、患者ＩＤは、前記患者に割り当てられ、オプションとして前記患者により着用される患者リストバンドに印刷されるバーコード及び／又は患者ＩＤ番号と関連付けられる。前記医者は、第２の患者に進み、この手順を繰り返す。このプロセスは、前記ＶＳＭ内のメモリがいっぱいになるまで無制限に反復されることができる。一実施例によると、画像分解能は、選択可能であり、記憶スペースが制限される場合に調整されることができる。前記医者は、前記ＶＳＭが病院コンピュータ又はワークステーションに（例えばケーブル又は無線接続を介して）接続される場合に、前記ＶＳＭを前記患者とともに病院等に送信することができ、前記画像及びバイタルサインデータは、それぞれの患者のＥＭＲにダウンロードされる。前記画像及びバイタルサインデータは、患者状態を評価するために医師により前記ＶＳＭ（又はワークステーションモニタ）において見られることができる。関連した例によると、画像及びバイタルサインデータは、１つ又は複数の入ってくる患者及び前記患者のそれぞれの状態に関する事前情報を病院スタッフに与えるために、イーサネット（登録商標）ポータルに対する有線若しくは無線接続、セルラ通信プロトコル、又は他の技術を使用して前記病院に転送されることができる。
【００２３】
他の例によると、介護施設における臨床医は、日ごとの又は週ごとの検査中に前記ＶＳＭを高齢患者に付着することができ、離れて位置する医師による見直しのための患者状態の記録を生成するために前記患者を撮像することができる。例えば、前記患者は、感染し、治療が開始されたカテーテル挿入ポイントを持ちうる。ＶＳＭは、バイタルサイン情報を収集し、前記臨床医は、前記カテーテル挿入ポイントの画像を獲得することができる。前記収集され、獲得されたデータは、前記ＶＳＭに記憶され、オプションとして前記患者のＥＭＲに記憶される。ＥＭＲデータベースに対するアクセスは、前記ＶＳＭに結合されたイーサネット接続又はモデムを介して得られることができる。加えて、又は代わりに、前記ＶＳＭは、前記介護施設におけるワークステーションに（例えば、ケーブル又は無線接続により）結合され、これは、前記ＥＭＲデータベースを更新するイーサネット接続を提供する。前記離れて位置する医師は、前記患者に往診することなく、及び感染領域の前記臨床医の手で生成された記述を待つ及び／又は頼ることなく、患者状態（例えば、カテーテルサイトにおける炎症、発疹、他の可視の感染等）を評価するために前記バイタルサイン情報及び画像を検査することができる。
【００２４】
図３−４は、様々なフィーチャによって、従来の手入力方法を使用して生じることができる遅延及び誤りを軽減するために、モニタされている患者パラメータ（例えばバイタルサイン）情報に加えて、患者状態に関連した画像を記録することに関連した１つ又は複数の方法を示す。前記方法は、一連の活動として記載されているが、記載される目的及び／又は結果を達成するのに全ての活動が必要とされるわけではなく、一部の活動が、特定の態様によって、記載された特定の順序と異なる順序で実行されてもよいと理解される。
【００２５】
図３は、一般的なヘルスケア環境において患者に対するバイタルサイン情報に加えて画像データを収集する方法４０を示す。４２において、患者は、ＶＳＭに接続される。前記患者を前記ＶＳＭに接続することは、前記患者に又は周りに１つ又は複数のセンサを配置することを含むことができる。４４において、前記患者又は前記患者の一部の画像が獲得される。例えば、臨床医は、前記患者のピクチャを獲得するのに前記ＶＳＭに結合された２次元バーコードスキャナ又はデジタルカメラを使用することができる。前記ピクチャから、前記患者が紅潮しているか、蒼白であるか、不快であるかのような前記患者の状態は、評価され、前記評価された状態のソースは、より正確に予測されることができる。
【００２６】
４６において、画像データ及び患者パラメータデータは、前記ＶＳＭにおいて受信される。前記ＶＳＭは、４８において前記患者に対するＥＭＲに記憶することができる。前記ＥＭＲは、前記ＶＳＭ内で及び／又は前記ＶＳＭから離れたＥＭＲデータベース内で維持されることができる。５０において、前記患者のモニタされるバイタルサインデータの画像データ及び／又はスナップショットが表示される。前記データの表示は、ＶＳＭスクリーン上のような前記ＶＳＭ上で実行されることができるか、又は前記ＶＳＭに結合された又は前記ＶＳＭから前記データを受信したワークステーション又はコンピュータ上で提示されることができる。このようにして、医師は、前記患者、外傷、創傷包帯等と関連付けられた画像データ、及び前記患者のバイタルサインに関連した又は前記画像の時間に関するデータを見直すことができる。
【００２７】
図４は、様々な態様と併せて、ＶＳＭに結合された撮像装置を使用して生成された画像の色補正に対する方法６０の図である。６２において、標準的色板が、撮像されるべき患者の近くに配置される。例えば、前記ＳＣＰは、前記患者の頭部、前記患者の胸部に隣接して、又はそうでなければ、生成されるべきピクチャ若しくは画像のフレーム内に配置されることができる。一部の態様によると、前記ＳＣＰは、前記ＳＣＰ上に印刷されたバーコードを持ち、前記バーコードは、前記ＳＣＰ上に印刷された特定の色、色相、輝度、陰影、コントラスト等に関連した情報を含む。前記バーコードは、バーコード化された色識別情報に基づく予測された色と比較した前記画像データにおける受信された色に基づいて、前記ＶＳＭが照明状態等を調整することを可能にするように前記画像獲得の時間に又は頃にスキャンされる。一部の実施例において、前記ＳＣＰは、前記バーコード及び／又は少なくとも１つの基準色を含む。
【００２８】
６４において、前記画像が獲得される。前記撮像装置が、バーコードリーダである場合、前記画像は、前記装置が目標に向いている間にトリガ又は他の作動機構を押すことにより獲得される。他の実施例において、前記装置は、ピクチャを取るのにボタン等を押すことにより動作されるデジタルカメラである。６６において、前記ＶＳＭは、前記撮像装置から前記画像データ及び（例えば前記患者に付着されたセンサから）患者バイタルサインデータを受信する。
【００２９】
６８において、前記ＶＳＭは、前記ＳＣＰに含まれる前記情報を使用して色歪を補正する。例えば、前記ＳＣＰ上の前記バーコードは、（例えば、較正目的で）前記ＳＣＰが明るい赤色であることを示すが、前記色板が前記画像においてくすんだ赤に見える場合、前記画像が生成された領域における照明が不十分であることが推測されることができる。したがって、前記ＶＳＭは、前記色板が、前記バーコード情報に基づく真の色及び／又は予測される色に近い色、色相、陰影等を示すまで前記画像を明るくすることができる。前記ＶＳＭが、１つ又は複数の色補償アルゴリズムを記憶及び実行するのに十分なメモリ及び処理性能を含むと理解される。一実施例において、前記ＳＣＰは、標準化されたパレットにマッピングされる複数の所定の色サンプルを持つ。前記画像の診断部分は、前記画像が標準化された色パレットに変換されるように類似的にマッピングされる。他の実施例において、前記ＳＣＰは、臨床医、医師又は他のユーザにより比較のために前記画像内に提供され、これにより前記ユーザは、前記ＳＣＰが期待されるほど明るくないことを見ることができ、前記画像内の全ての他の色が同様に薄暗く又は影になっていることを推察することができる。このようにして、前記ユーザは、色補償を直感的に実行することができる。
【００３０】
７０において、前記データ（例えば、画像データ及び患者バイタルサインデータ）は、前記患者のＥＭＲに記憶され、前記色補正された画像及びバイタルサインデータは、見直しのためにユーザに対して表示される。このようにして、前記ＶＳＭにより測定可能ではない患者情報（例えば、蒼白、肌の色合い、発疹等）は、臨床医が前記情報を手書き、タイプ又は他の形で入力する必要なしに文書化、記憶され、見直される。画像を前記医師に提供することにより、前記医師の意見及び診断は、臨床医の観察結果を間接的に見直す場合に生じることができる先入観から保護される。
【００３１】
図５は、上記のシステム及び／又は方法と併せて使用されることができるＶＳＭ１２のようなバイタルサインモニタの図である。モニタ１２は、ユーザに対して情報を表示するスクリーン８０を有する。例えば、前記スクリーンは、モニタ１２が接続された患者に関連したバイタルサイン情報を表示することができる。モニタ１２は、前記バーコードリーダ、デジタルカメラ、センサリード等を接続するのにユーザにより使用されるＰＳ／２ポート、ＵＳＢポート等のような複数の接続ポート８２をも持つ。モニタ１２は、血圧、体温、心拍、ＳｐＯ2、呼気ＣＯ2、血糖値、心電図（ＥＣＧ／ＥＫＧ）関連情報等を含むが、これらに限定されない全ての適切な又は所望の患者関連状態をモニタすることができる。
【００３２】
前記モニタは、追加的に、上記のシステム及び／又は方法の機能を提供する命令を実行するソフトウェアを備えることができる。例えば、色補正ソフトウェアは、ＵＳＢスティック等を使用して前記ＶＳＭに提供されることができる。加えて、撮像ソフトウェアは、前記ＶＳＭにおいて記憶及び／又は実行されることができ、スキャナ又はカメラにより獲得された画像が、スクリーン８０上でユーザに提示されることを可能にする。
【図１】
2010537672.tif 000003
【図２】
2010537672.tif 000004
【図３】
2010537672.tif 000005
【図４】
2010537672.tif 000006
【図５】
2010537672.tif 000007
【国際調査報告】
2010537672.tif 000008
2010537672.tif 000009
2010537672.tif 000010